(57)【特許請求の範囲】
【請求項１】
複数のファイル単位で成る素材情報を記録したり再生するための指令を与える上位制御端末と、
入出力部と、前記入出力部を介してファイル単位で前記素材情報を記録再生するランダムアクセス可能な記録媒体と、を有するデータ記録再生手段と、
前記上位制御端末からの前記指令により、前記データ記録再生手段に対して前記素材情報を記録したり再生するための管理を行う管理手段と、
前記データ記録再生手段の前記ランダムアクセス可能な記録媒体に記録されている前記素材情報を前記素材情報単位で操作可能なデータ操作手段と、を有し、
前記上位制御端末は、前記データ操作手段が操作する前記素材情報に関する情報に基づいて、前記管理手段に対して前記データ記録再生手段の前記ランダムアクセス可能な記録媒体の前記ファイル単位の前記素材情報を指定させることを特徴とする素材情報制御装置。
【請求項２】
前記データ操作手段は編集機であり、前記データ操作はデータ編集作業であって、
前記入出力部は、
前記データ操作手段が前記ランダムアクセス可能な記録媒体の前記素材情報をファイル単位で編集するための第１群の入出力部と、
前記データ操作手段が前記ランダムアクセス可能な記録媒体の前記素材情報をファイル単位で編集するときに、前記データ記録再生手段において前記ランダムアクセス可能な記録媒体のデータの送出、収録を同時に行うための第２群の入出力部と、
を有する請求項１に記載の素材情報制御装置。
【請求項３】
前記第１群の入出力部と前記第２群の入出力部を指定するために、前記複数の入出力部と前記編集機との間には、ルータが配置されている請求項１に記載の素材情報制御装置。
【請求項４】
上位制御端末が複数のファイル単位で成る素材情報を記録したり再生するための指令を与え、
管理手段が、前記上位制御端末からの前記指令により、データ記録再生手段のランダムアクセス可能な記録媒体には、入出力部を介して前記ファイル単位で前記素材情報を記録したり再生し、
前記上位制御端末は、前記データ操作手段が操作する前記素材情報に関する情報に基づいて、前記管理手段に対して前記データ記録再生手段の前記ランダムアクセス可能な記録媒体の前記ファイル単位で成る前記素材情報を指定させ、
データ操作手段は、前記データ記録再生手段の前記ランダムアクセス可能な記録媒体に記録されている前記素材情報を前記素材情報単位で操作することを特徴とする素材情報制御方法。
【請求項５】
前記データ操作手段は編集機であり、前記データ操作はデータ編集作業であって、
前記第１群の入出力部において、前記データ操作手段が前記ランダムアクセス可能な記録媒体の前記素材情報をファイル単位で編集するときに、
前記第２群の入出力部において、前記データ記録再生手段において前記ランダムアクセス可能な記録媒体のデータの送出、収録を同時に行う請求項４に記載の素材情報制御方法。
【発明の詳細な説明】
【０００１】
【発明の属する技術分野】
本発明は、上位制御端末及びビデオテープレコーダ用の編集機から制御されるＡＶ（オーディオビジュアル）サーバシステムのようなデータ記録再生手段を含む素材情報制御装置及び素材情報制御方法に関するものである。
【０００２】
【従来の技術】
放送局等で用いられるＡＶ（オーディオビジュアル）サーバは、データ記録再生手段として用いられるのであるが、このようなＡＶサーバは例えばノンリニアな記録再生手段としてハードディスクドライブを備えている。このようなＡＶサーバの各種制御は、ユーザが使用する上位制御端末の指令を、サーバマネージメントシステム（ＳＭＳ）等と呼ばれている管理手段を介してＡＶサーバに与えることで行われるようになっている。
【０００３】
【発明が解決しようとする課題】
しかし、ユーザが上位制御端末からＳＭＳを介して、ＡＶサーバにおける情報の再生や記録操作を行う場合には、ＳＭＳが上位制御端末からのコマンドをＡＶサーバ側に仲介するために、そのコマンドの遅延が発生する。
このようなコマンドの遅延が発生すると、例えば放送素材を編集して放送しようとする場合には向かない。すなわち、放送素材を編集して放送する場合には、速い作業応答性が必要とされるために、このようなコマンドのＳＭＳにおける遅延は問題となり、編集作業のように速い応答性が必要とされる場合にはこのようなＳＭＳがコマンドを仲介するのは不向きである。
また編集機を操作するユーザが上位制御端末を操作してファイルを特定する。このビデオテープレコーダ（ＶＴＲ）用の編集機を、ＡＶサーバにおける編集作業の制御に用いると速い応答性が得られる。しかし、上位制御端末からＳＭＳを介してＡＶサーバに送られてくる情報は、ファイル単位で送られてくる。すなわちＳＭＳがＡＶサーバに作成するようなファイル名で指定してデータを送ってくるのに対して、編集機は、ファイルを区別する手段を有しておらず、このようなファイル単位でのデータを扱えず、複数のファイル単位を集めたデータ単位でしか扱うことができない。
【０００４】
つまり編集機がＡＶサーバ上の情報を編集する場合に、ファイル単位では編集できずデータ単位でしか取り扱うことができない。
さらに、通常の放送の送出や収録を行っている場合に、同時に即効性が重要な編集作業を行うことができることが望まれている。
そこで本発明は上記課題を解消し、上位制御端末からのデータ記録再生手段における記録再生を行いながら、同時に編集機による即効性が重要な編集作業等を行うことができる素材情報制御装置及び素材情報制御方法を提供することを目的としている。
【０００５】
【課題を解決するための手段】
請求項１の発明は、複数のファイル単位で成る素材情報を記録したり再生するための指令を与える上位制御端末と、入出力部と、前記入出力部を介してファイル単位で前記素材情報を記録再生するランダムアクセス可能な記録媒体と、を有するデータ記録再生手段と、前記上位制御端末からの前記指令により、前記データ記録再生手段に対して前記素材情報を記録したり再生するための管理を行う管理手段と、前記データ記録再生手段の前記ランダムアクセス可能な記録媒体に記録されている前記素材情報を前記素材情報単位で操作可能なデータ操作手段と、を有し、前記上位制御端末は、前記データ操作手段が操作する前記素材情報に関する情報に基づいて、前記管理手段に対して前記データ記録再生手段の前記ランダムアクセス可能な記録媒体の前記ファイル単位の前記素材情報を指定させることを特徴とする素材情報制御装置である。
【０００６】
請求項１の発明では、上位制御端末は、複数のファイル単位で成る素材情報を記録したり再生するための指令を与える。データ記録再生手段のランダムアクセス可能な記録媒体には、ファイル単位で素材情報を記録再生するようになっている。
管理手段は、上位制御端末からの指令により、データ記録再生手段に対して素材情報を記録したり再生するための管理を行う。
データ操作手段は、データ記録再生手段のランダムアクセス可能な記録媒体に記録されている素材情報を素材情報単位で操作可能である。
上位制御端末は、データ操作手段が操作する素材情報に関する情報に基づいて、管理手段に対してデータ記録再生手段のランダムアクセス可能な記録媒体のファイル単位の素材情報を指定させる。
これにより、上位制御端末がランダムアクセス可能な記録媒体のファイル単位の素材情報を指定させることができるので、データ操作手段は、ランダムアクセス可能な記録媒体に記録されている素材情報を素材情報単位で操作できるようになる。このデータ操作手段は、たとえば編集操作やスロー操作等を含むものである。
【０００７】
請求項２の発明は、請求項１に記載の素材情報制御装置において、前記データ操作手段は編集機であり、前記データ操作はデータ編集作業であって、前記入出力部は、前記データ操作手段が前記ランダムアクセス可能な記録媒体の前記素材情報をファイル単位で編集するための第１群の入出力部と、前記データ操作手段が前記ランダムアクセス可能な記録媒体の前記素材情報をファイル単位で編集するときに、前記データ記録再生手段において前記ランダムアクセス可能な記録媒体のデータの送出、収録を同時に行うための第２群の入出力部と、を有する。
請求項２の発明では、第１群の入出力部を用いることにより、データ操作手段がランダムアクセス可能な記録媒体の素材情報をファイル単位で編集する時に、第２群の入出力部は、データ記録再生手段においてランダムアクセス可能な記録媒体のデータの送出及び記録を同時に行うことができる。
すなわち、上位制御端末を用いた複雑で応答性がそれ程重要でないデータの送出及び収録のような制御は、管理手段を通して行い、即応性が重要な編集作業は直接編集機であるデータ操作手段を使って、データの送出及び収録作業と、編集作業は別々にしかも同時に行うことができる。
【０００８】
請求項３の発明は、請求項１に記載の素材情報制御装置において、前記第１群の入出力部と前記第２群の入出力部を指定するために、前記複数の入出力部と前記編集機との間には、ルータが配置されている。
【０００９】
請求項４の発明は、上位制御端末が複数のファイル単位で成る素材情報を記録したり再生するための指令を与え、管理手段が、前記上位制御端末からの前記指令により、データ記録再生手段のランダムアクセス可能な記録媒体には、入出力部を介して前記ファイル単位で前記素材情報を記録したり再生し、前記上位制御端末は、前記データ操作手段が操作する前記素材情報に関する情報に基づいて、前記管理手段に対して前記データ記録再生手段の前記ランダムアクセス可能な記録媒体の前記ファイル単位で成る前記素材情報を指定させ、データ操作手段は、前記データ記録再生手段の前記ランダムアクセス可能な記録媒体に記録されている前記素材情報を前記素材情報単位で操作することを特徴とする素材情報制御方法である
【００１０】
請求項４の発明では、上位制御端末は、複数のファイル単位で成る素材情報を記録したり再生するための指令を与える。データ記録再生手段のランダムアクセス可能な記録媒体には、ファイル単位で素材情報を記録再生するようになっている。
管理手段は、上位制御端末からの指令により、データ記録再生手段に対して素材情報を記録したり再生するための管理を行う。
データ操作手段は、データ記録再生手段のランダムアクセス可能な記録媒体に記録されている素材情報を素材情報単位で操作可能である。
上位制御端末は、データ操作手段が操作する素材情報に関する情報に基づいて、管理手段に対してデータ記録再生手段のランダムアクセス可能な記録媒体のファイル単位の素材情報を指定させる。
これにより、上位制御端末がランダムアクセス可能な記録媒体のファイル単位の素材情報を指定させることができるので、データ操作手段は、ランダムアクセス可能な記録媒体に記録されている素材情報を素材情報単位で操作できるようになる。このデータ操作手段は、たとえば編集作業やスロー操作等を含むものである。
【００１１】
請求項５の発明は、請求項４に記載の素材情報制御方法において、前記データ操作手段は編集機であり、前記データ操作はデータ編集作業であって、前記第１群の入出力部において、前記データ操作手段が前記ランダムアクセス可能な記録媒体の前記素材情報をファイル単位で編集するときに、前記第２群の入出力部において、前記データ記録再生手段において前記ランダムアクセス可能な記録媒体のデータの送出、収録を同時に行う。
請求項５の発明では、第１群の入出力部を用いることにより、データ操作手段がランダムアクセス可能な記録媒体の素材情報をファイル単位で編集する時に、第２群の入出力部は、データ記録再生手段においてランダムアクセス可能な記録媒体のデータの送出及び記録を同時に行うことができる。
すなわち、上位制御端末を用いた複雑で応答性がそれ程重要でないデータの送出及び収録のような制御は、管理手段を通して行い、即応性が重要な編集作業は直接編集機であるデータ操作手段を使って、データの送出及び収録作業と、編集作業は別々に行うことができる。
【００１２】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１３】
まず、図１を使ってシステムの概要を説明する。
図１は、本発明の素材情報制御装置（システム）の好ましい例を示している。素材情報ＤＢ（データベース）は、上位制御端末１０において取得できるようになっている。上位制御端末１０は、ＬＡＮ２０を介してサーバマネージメントシステム（以下ＳＭＳと呼ぶ）３０に接続されている。このＳＭＳ３０は上位制御端末とＡＶサーバの間にある管理手段であり、ＡＶサーバ（オーディオビジュアルサーバ）１００の入出力制御装置ＩＯＰ１，ＩＯＰ２に接続されている。
ＡＶサーバ１００はデータ記録再生手段である。このＡＶサーバ１００は、２つの入出力制御装置ＩＯＰ１，ＩＯＰ２及びＲＡＩＤ１２０を備えている。このＲＡＩＤ（Ｒｅｄｕｎｄａｎｔ  Ａｒｒａｙ  ｏｆ  Ｉｎｄｅｐｅｎｄｅｎｔ
Ｄｉｓｋｓ）１２０は、複数台のハードディスクドライブ（ＨＤＤ）から構成されており、速度や信頼性の向上を図った装置である。ＲＡＩＤ１２０の各ハードディスクドライブは、ランダムアクセス可能な記録媒体あるいはノンリニアアクセス可能な記録媒体であるハードディスク（ＨＤ）を備える。このＲＡＩＤ１２０には、入出力制御装置に割り当てられたタイムスロットに合せて入出力するようになっている。入出力制御装置ＩＯＰ１，ＩＯＰ２からは、外部の機器に対して映像信号ＩＳを送出したりあるいは外部から収録することができる入出力プロセッサである。
【００１４】
入出力制御装置ＩＯＰ１，ＩＯＰ２は、ＳＭＳ３０からの制御信号によって、映像信号ＩＳをＨＤＤ（ハードディスクドライブ）１２０上に記録したり、ＨＤＤ１２０上に記録されたＡＶデータを映像信号ＩＳとして出力したりするものである。
図１では２つの入出力制御装置ＩＯＰ１，ＩＯＰ２を有するＡＶサーバ１００が示されており、これらは独立した２つのＡＶデータを入出力することが可能である。
また、入出力制御装置ＩＯＰ１，ＩＯＰ２は編集機５０の制御も受けることが可能になっており、ＡＶ信号の記録や再生は編集機５０側からも行うことができる。
【００１５】
編集機５０はデータ操作手段であり、この編集機５０は、入出力制御装置ＩＯＰ１，ＩＯＰ２に接続されている。
上位制御端末１０は、管理手段であるＳＭＳ３０を介して、素材情報ＤＢのファイル単位を単位として入出力制御装置ＩＯＰ１，ＩＯＰ２を通してデータを入力させたり、あるいは逆にＡＶサーバ１００からデータを出力することができる。
これに対して編集機５０は、入出力制御装置ＩＯＰ１，ＩＯＰ２に対してファイル単位でデータを扱うことができない。つまり、編集機５０は、ＡＶサーバ１００に対してＡＶ信号の記録や再生等を行なわせるためのコマンドを送り、ＡＶ信号の編集を行う。編集機５０は、元来ビデオテープのＶＴＲを制御することを目的としているため、ＳＭＳ３０からの制御によって作成されたＡＶサーバの素材のように、複数のＡＶファイルを区別して扱う手段が無く、ファイル単位ではデータを扱えない。
【００１６】
ＳＭＳ（サーバマネージメントシステム）３０は、後述する上位制御端末１０に対してＬＡＮ（ローカルエリアネットワーク）２０で接続され、ＳＭＳ３０には後述するＩＯＰ（入出力制御装置ＩＯＰ１，ＩＯＰ２）を有するＡＶ（オーディオビジュアル）サーバ１００が接続されている。
ＳＭＳ３０は、上位制御端末１０からの制御コマンドＣＣを受け、それに基づいてＡＶサーバ制御用のコマンドＣＣ１を生成し、ＡＶサーバ１００にこのコマンドＣＣ１を発行する。また、ＳＭＳ３０は、ＡＶサーバ制御用コマンドの結果をＡＶサーバ１００から受け取り、制御コマンドの発行元である上位制御端末１０に結果を通知する。
【００１７】
上述のように上位制御端末１０は、ＡＶサーバ１００に対してＡＶ信号の記録や再生等を行なわせるための制御コマンドＣＣをＳＭＳ３０に送り、制御結果をＳＭＳ３０から受け取る。
ＡＶサーバ１００は、ＡＶデータをファイルという単位で管理しており、ＳＭＳ３０からの制御により、ＡＶ信号の記録をすることによりファイルを作成したり、任意のファイルを再生出力することが可能になっている。
したがって、編集機５０側からＡＶ信号の記録や再生を行う場合、あらかじめ編集対象となるファイルをＳＭＳ３０から指定する必要があり、編集機５０を操作するユーザが、あらかじめ上位制御端末１０を操作して素材情報ＤＢの対象ファイルを指定し、そのコマンドをＳＭＳ３０が上位制御端末１０より受け取り、ＳＭＳ３０がＡＶサーバ１００に対して対象ファイルを指定する操作が行われる。
なお、以下の説明において「オープン」とは、上位制御端末１０がＳＭＳ３０１に対して、ＳＭＳ３０が管理する下位デバイス（ＡＶサーバ１００の入出力制御装置まで）の占有使用の許可を求め、対象ファイルを指定して操作が行える状態とすることをいう。
【００１８】
次に、編集機５０を使ってＡＶサーバ１００に対して映像信号ＩＳを記録したり、映像信号ＩＳを再生する操作について図２を参照して説明する。
図２に示されるように、ＳＭＳ３０には上位制御端末１０および入出力制御装置ＩＯＰ１，ＩＯＰ２を有するＡＶサーバ１００が接続されている。入出力制御装置ＩＯＰ１から再生された映像信号ＩＳを、入出力制御装置ＩＯＰ２を使って別のＡＶファイルに記録する例を示す。
入出力制御装置ＩＯＰ１の映像出力端子と、入出力制御装置ＩＯＰ２の映像入力端子は直接接続されており、入出力制御装置ＩＯＰ１から映像が出力されれば、入出力制御装置ＩＯＰ２に映像が入力されるようにあらかじめ設定されているものとする。
図２において、編集機５０は、入出力制御装置ＩＯＰ１，ＩＯＰ２に対して第１制御端子５０Ａと第２制御端子５０Ｂによりそれぞれ接続されている。入出力制御装置ＩＯＰ１は、入出力制御装置ＩＯＰ２に対して直接接続されており、入出力制御装置ＩＯＰ１からの映像信号ＩＳは、入出力制御装置ＩＯＰ２に対して入力できる。
【００１９】
（１）ＡＶサーバ１００に記録されているＡＶデータのファイル構成は、上位制御端末１０の素材情報ＤＢにあらかじめ登録されており、一例としてユーザは上位制御端末１０上では入出力制御装置ＩＯＰ１で再生するファイルｆｉｌｅ Ａを選択する。
（２）上位制御端末１０からファイルｆｉｌｅ ＡのオープンコマンドをＳＭＳ３０に対して送信する。
ＯＰＥＮ  ＭＯＤＥ＝ＰＬＡＹ  ＰＡＴＨ＝ｆｉｌｅ Ａ  ＲＳＣ＝ＩＯＰ１
ここで、パラメータＭＯＤＥは再生モードでオープンすることを示し、ＰＡＴＨはファイルｆｉｌｅ Ａを指定し、ＲＳＣは再生に入出力制御装置ＩＯＰ１を使用することを指定している。
（３）ＳＭＳ３０は、ＡＶサーバ１００の入出力制御装置ＩＯＰ１に対して、ファイルｆｉｌｅ Ａを再生モードでオープンし、入出力制御装置ＩＯＰ１において映像信号ＩＳを再生する。
Ｏｐｅｎ  Ｍｏｄｅ＝Ｐｌａｙ  Ｐａｔｈ＝ｆｉｌｅ Ａ
【００２０】
（４）次に、入出力制御装置ＩＯＰ２で記録するファイルｆｉｌｅ Ｚをユーザが上位制御端末１０上で指定し、ＳＭＳ３０に対して、ファイルｆｉｌｅ Ｚのオープンコマンドを発行する。
ＯＰＥＮ  ＭＯＤＥ＝ＰＥＣ  ＰＡＴＨ＝ｆｉｌｅ Ｚ  ＲＳＣ＝ＩＯＰ２
ここで、パラメータＭＯＤＥは記録モードでオープンすることを示し、ＰＡＴＨはファイルｆｉｌｅ Ｚを指定、ＲＳＣは記録に入出力制御装置ＩＯＰ２を使用することを指定している。
（５）ＳＭＳ３０はＡＶサーバ１００の入出力制御装置ＩＯＰ２に対して、ファイルｆｉｌｅ Ｚを記録モードでオープンし、入出力制御装置ＩＯＰ２において映像信号ＩＳを記録する。
Ｏｐｅｎ  Ｍｏｄｅ＝Ｒｅｃ  Ｐａｔｈ＝ｆｉｌｅ Ｚ
（６）編集機５０は入出力制御装置ＩＯＰ１に再生コマンドを発行すると同時に、入出力制御装置ＩＯＰ２に記録コマンドを発行する。つまり、入出力制御装置ＩＯＰ１はＰｌａｙ（再生）状態にし、入出力制御装置ＩＯＰ２はＲｅｃ（記録）状態にして、映像信号ＩＳを入出力制御装置ＩＯＰ２側に記録することで編集をする。
【００２１】
次に、複数の上位制御端末１０，１０Ａおよび編集機５０を使って、映像信号ＩＳの記録、再生操作について、図３を参照して説明する。
図３に示すように、ＳＭＳ３０にはたとえば２つの第１，第２上位制御端末１０，１０Ａおよび入出力制御装置ＩＯＰ１〜ＩＯＰ４を有するＡＶサーバ１００が接続されている。また、ＳＭＳ３０には例えばＲＳ４２２のルータ（Ｒｏｕｔｅｒ）１５０が接続されており、ＳＭＳ３０からの指示により編集機５０の第１，第２制御端子５０Ａ，５０Ｂをどの入出力制御装置ＩＯＰ１〜ＩＯＰ４に接続するかを任意に変更できるようになっている。
図３では、第１上位制御端末１０と第２上位制御端末１０ＡがＬＡＮ２０に接続されている。
ＳＭＳ３０は、ポート状態テーブル３０Ｔを有している。ポート状態テーブル３０Ｔは、入出力制御装置ＩＯＰ１〜ＩＯＰ４のポート状態を示している。図３の例では、入出力制御装置ＩＯＰ１はＰＬＡＹ（再生）状態を示し、入出力制御装置ＩＯＰ２はＲＥＣ（記録）状態を示している。編集機５０は第１制御端子５０Ａと第２制御端子５０Ｂを有しており、それぞれ制御信号のルータ１５０の入力ＩＮ１と入力ＩＮ２に接続されている。
【００２２】
ＡＶサーバ１００は、４つの入出力制御装置ＩＯＰ１〜ＩＯＰ４を有している。図３の例では、たとえば入出力制御装置ＩＯＰ１とＩＯＰ２は、映像信号ＩＳの送出および収録用のものであり、入出力制御装置ＩＯＰ３，ＩＯＰ４は、映像信号ＩＳの編集作業用に割り当てられている。ルータ１５０の出力ＯＵＴ１，ＯＵＴ２は、入出力制御装置ＩＯＰ１，ＩＯＰ２にそれぞれ接続されているとともに、ＳＭＳ３０はこれらの入出力制御装置ＩＯＰ１，ＩＯＰ２に接続されている。
ルータ１５０の出力ＯＵＴ３，ＯＵＴ４は、それぞれ入出力制御装置ＩＯＰ３，ＩＯＰ４に接続されている。入出力制御装置ＩＯＰ３，ＩＯＰ４は、直接接続されており、入出力制御装置ＩＯＰ３の映像信号ＩＳは、入出力制御装置ＩＯＰ４に入力できるようになっている。
図３では、応答性が差ほど重要でないデータの送出および収録の制御をするときは、ＳＭＳ３０を通じて行い、この場合には編集機５０は用いない。
【００２３】
ここで、図３では、上位制御端末１０からの指示により、入出力制御装置ＩＯＰ１，ＩＯＰ２がそれぞれ送出、収録操作に使用されている場合に、上位制御端末１０ＡはＳＭＳ３０に指示をすることで、編集機５０は排他的に入出力制御装置ＩＯＰ３，ＩＯＰ４を編集作業に使用可能とする。
入出力制御装置ＩＯＰ１は、ＡＶファイルを再生することにより、出力端子から映像信号を送出しており、入出力制御装置ＩＯＰ２は入力端子から映像信号を入力し、ＡＶファイルに収録している。
また、入出力制御装置ＩＯＰ３の映像出力端子と、入出力制御装置ＩＯＰ４の映像入力端子は直接接続されており、入出力制御装置ＩＯＰ３から映像が出力されれば、入出力制御装置ＩＯＰ４に映像が入力されるようにあらかじめ設定されているものとする。
【００２４】
（１）ＡＶサーバ１００に記録されているＡＶファイルは、第１と第２上位制御端末１０，１０Ａの素材情報ＤＢにあらかじめ登録されており、ユーザがたとえば第１上位制御端末１０上では入出力制御装置ＩＯＰ１で再生するファイルｆｉｌｅ Ａを選択する。
（２）第１上位制御端末１０から再生モードのオープンコマンドをＳＭＳ３０に対して送信する。
ＯＰＥＮ  ＭＯＤＥ＝ＰＬＡＹ  ＰＡＴＨ＝ｆｉｌｅ Ａ  ＲＳＣ＝ＩＯＰ１
（３）ＳＭＳ３０はポート状態テーブル３０Ｔの入出力制御装置ＩＯＰ１の使用状態をＰＬＡＹにセットする。
（４）ＳＭＳ３０はＡＶサーバ１００の入出力制御装置ＩＯＰ１に対して、再生モードのＯＰＥＮを行い、入出力制御装置ＩＯＰ１を再生可能な状態にする。
Ｏｐｅｎ  Ｍｏｄｅ＝Ｐｌａｙ  Ｐａｔｈ＝ｆｉｌｅ Ａ
【００２５】
（５）ここで、第１上位制御端末１０がＳＭＳ３０に対して再生コマンドを送信すれば、ＳＭＳ３０は入出力制御装置ＩＯＰ１に指令をするので、入出力制御装置ＩＯＰ１を使ったＡＶファイルの再生が行われる。
ＰＬＡＹ  ＰＡＴＨ＝ｆｉｌｅ Ａ  ＲＳＣ＝ＩＯＰ１
（６）次に入出力制御装置ＩＯＰ２で記録するファイルｆｉｌｅ Ｚをユーザが第１上位制御端末１０で指定し、ＳＭＳ３０に対して、入出力制御装置ＩＯＰ２及びファイルｆｉｌｅ Ｚのオープンコマンドを発行する。
ＯＰＥＮ  ＭＯＤＥ＝ＰＥＣ  ＰＡＴＨ＝ｆｉｌｅ Ｚ  ＲＳＣ＝ＩＯＰ２
（７）ＳＭＳ３０はポート状態テーブル３０Ｔの入出力制御装置ＩＯＰ２の使用状態をＲＥＣにセットする。
（８）ＳＭＳ３０は記録モードのＯＰＥＮを行い、入出力制御装置ＩＯＰ２を記録可能な状態にする。
Ｏｐｅｎ  Ｍｏｄｅ＝Ｒｅｃ  Ｐａｔｈ＝ｆｉｌｅ Ｚ
（９）ここで、第１上位制御端末１０がＳＭＳ３０に対して記録コマンドを送信すれば、入出力制御装置ＩＯＰ２を使ったＡＶファイルの記録が行われる。
ＲＥＣ  ＰＡＴＨ＝ｆｉｌｅ Ｚ  ＲＳＣ＝ＩＯＰ２
【００２６】
この時、編集機５０側で入出力制御装置ＩＯＰ３，ＩＯＰ４を使用して編集作業を行うことについては、図４により説明する。
図４では、図３と異なるのが、モニタ２００が、ＡＶサーバ１００に関連して設けられていることである。ユーザは、第１，第２上位制御端末や編集機５０を操作する際にモニタ２００を見ることができる。モニタ２００を見ることで、映像そのものを見ることができる。図４のその他の点については図３の構成とほぼ同様であるが、図４では、即応性を要する編集作業は、編集機５０を用いて行う例を示している。
【００２７】
（１）ＡＶサーバ１００に記録されているＡＶファイルは、第１，第２上位制御端末１０，１０Ａの素材情報ＤＢにあらかじめ登録されており、たとえばユーザが第２上位制御端末１０Ａ上では入出力制御装置ＩＯＰ３で再生するファイルｆｉｌｅ Ｂを選択する。
（２）第２上位制御端末１０Ａからファイルｆｉｌｅ ＢのオープンコマンドをＳＭＳ３０に対して送信する。
ＯＰＥＮ  ＭＯＤＥ＝ＰＬＡＹ  ＰＡＴＨ＝ｆｉｌｅ Ｂ  ＲＳＣ＝ＩＯＰ３
（３）ＳＭＳ３０はＡＶサーバ１００の入出力制御装置ＩＯＰ３に対して、再生モードのＯＰＥＮを行い、入出力制御装置ＩＯＰ３を再生可能な状態にする。
Ｏｐｅｎ  Ｍｏｄｅ＝Ｐｌａｙ  Ｐａｔｈ＝ｆｉｌｅ Ｂ
（４）ＳＭＳ３０はポート状態テーブル３０Ｔの入出力制御装置ＩＯＰ３の使用状態をＰＬＡＹにセットする。
【００２８】
（５）次にユーザは入出力制御装置ＩＯＰ４で記録するファイルｆｉｌｅ Ｙを第２上位制御端末１０Ａで指定し、ＳＭＳ３０に対して、記録モードのオープンコマンドを発行する。
ＯＰＥＮ  ＭＯＤＥ＝ＰＥＣ  ＰＡＴＨ＝ｆｉｌｅ Ｙ  ＲＳＣ＝ＩＯＰ４
（６）ＳＭＳ３０はポート状態テーブルの入出力制御装置ＩＯＰ４の使用状態をＲＥＣにセットする。
（７）ＳＭＳ３０はＡＶサーバ１００の入出力制御装置ＩＯＰ４に対して、記録モードのＯＰＥＮを行い、入出力制御装置ＩＯＰ４を記録可能な状態にする。
Ｏｐｅｎ  Ｍｏｄｅ＝Ｒｅｃ  Ｐａｔｈ＝ｆｉｌｅ Ｙ
（８）次に第２上位制御端末１０Ａから、ＳＭＳ３０に対して、編集機５０の制御端子５０Ａからの制御を入出力制御装置ＩＯＰ３が受け付けるように、ルータ１５０（ＲＳ４２２Ｒｏｕｔｅｒ）の接続状態を、入力ＩＮ１と出力ＯＵＴ３が接続状態になるように切り替えるためのコマンドを発行する。
ＣＯＭＢＩＮＥ  ＳＲＣ＝ＩＮ１  ＤＥＳＴ＝ＯＵＴ３
ここで、パラメータＳＲＣはルータ１５０の入力側の端子番号を示し、ＤＥＳＴは出力側の端子番号を示す。
【００２９】
（９）ＳＭＳ３０はルータ１５０（ＲＳ４２２Ｒｏｕｔｅｒ）を制御し、入力ＩＮ１と出力ＯＵＴ３が接続状態になるように切り替える。
Ｃｌｏｓｓ  Ｐｏｉｎｔ  Ｓｅｌｅｃｔ  ＩＮ１  ＯＵＴ３
（１０)(８）と同様に、第２上位制御端末１０ＡからＳＭＳ３０に対して、編集機５０の第２制御端子５０Ｂからの制御を入出力制御装置ＩＯＰ４が受け付けるようにコマンドを発行する。
ＣＯＭＢＩＮＥ  ＳＲＣ＝ＩＮ２  ＤＥＳＴ＝ＯＵＴ４
（１１)(９）と同様に、ＳＭＳ３０はルータ１５０（ＲＳ４２２Ｒｏｕｔｅｒ）を制御し、入力ＩＮ２と出力ＯＵＴ４が接続状態になるように切り替える。
Ｃｌｏｓｓ  Ｐｏｉｎｔ  Ｓｅｌｅｃｔ  ＩＮ２  ＯＵＴ４
このとき、編集機５０の第１制御端子５０ＡからＰＬＡＹコマンドを発行すれば、入出力制御装置ＩＯＰ３からファイルｆｉｌｅ Ｂの再生が行われ、第２制御端子５０ＢからＲＥＣコマンドを発行すれば、入出力制御装置ＩＯＰ４に入力された映像信号の記録がファイルｆｉｌｅ Ｙに対して行われる。
【００３０】
このように、本発明の実施の形態では、ＳＭＳ３０が作成したＡＶサーバ１００上の複数のファイルを、従来テープの再生、記録を目的とした編集機５０でも行うことができるようになった。
また、ＳＭＳ３０を介した記録再生操作を上位制御端末１０，１０Ａから行いながら、同時に編集機５０による編集を行うことができる。複数の上位制御端末１０，１０Ａを用いた複雑で応答性がそれほど重要でない送出、収録のような制御は、ＳＭＳ３０を介して行い、即応性が重要な編集作業は編集機５０を使ってＡＶサーバ１００に対して直接指令して行うことができる。
【００３１】
また、本発明の実施の形態では、データ操作手段は図示例では編集機におけるデータ編集を示しているが、これに限らずデータのスロー再生操作等であってもよい。
ＡＶサーバシステムにおいて、上位制御端末を使ってＶＴＲ用の編集機の編集対象ファイルを選択可能としている。複数の上位制御端末およびＶＴＲ用の編集機から制御されるＡＶサーバシステムにおいて、編集機が編集対象とするファイルを選択する手段を上位制御端末に提供することで、ＡＶデータをＶＴＲ用の編集機が利用可能となる。
【００３２】
ところで本発明は上記実施の形態に限定されるものではない。
上記実施の形態において、例えばＡＶサーバ１００はノンリニアな記録媒体としてハードディスクを用いているが、これに限らず他の種類の媒体、例えば光ディスクあるいは光磁気ディスクを用いることも可能である。
【００３３】
【発明の効果】
以上説明したように、本発明によれば、上位制御端末からのデータ記録再生手段における記録再生を行いながら、同時に編集機による即効性が重要な編集作業等を行うことができる。
【図面の簡単な説明】
【図１】本発明の素材情報制御装置の概念を示す図。
【図２】本発明の具体的な実施の形態を示す図。
【図３】本発明の具体的な実施の形態を示す図。
【図４】本発明の具体的な実施の形態を示す図。
【符号の説明】
１０，１０Ａ・・・上位制御端末、３０・・・ＳＭＳ（サーバマネージメントシステム)(管理手段）、５０・・・編集機（データ操作手段）、１００・・・ＡＶサーバ（データ記録再生手段）、１２０・・・ＨＤＤ（ノンリニア記録再生手段）、１５０・・・ルータ、ＤＢ・・・素材情報、ＩＯＰ１，ＩＯＰ２・・・入出力制御装置（第２群の入出力部）、ＩＯＰ３，ＩＯＰ４・・・入出力制御装置（第１群の入出力部）
【図１】
0004000710.tif 000002
【図２】
0004000710.tif 000003
【図３】
0004000710.tif 000004
【図４】
0004000710.tif 000005